(57)【要約】【課題】防煙シートの１つのコーナー部について１本のねじ部材を配置して該コーナー部の２辺方向のテンションを同時に調整しつつ、該２辺方向のテンションが自動的に調和されるようにして、防煙シートのしわを解消するためのテンションの調整を容易にする。【解決手段】  防煙シート１２のコーナー部２０にコーナー部装着部材１８を装着する。雄ねじ部材２２をフレーム１４のコーナー部２０からコーナー部装着部材１８に向けて斜めに配置し、コーナー部装着部材１８のねじ穴５２にねじ込む。雄ねじ部材２２の頭部２２ｂはフレーム１４のコーナー部２０の傾斜部４９ｃに係止されている。雄ねじ部材２２の軸部２２ａは傾斜部４９ｃに形成された長穴４８に通されている。雄ねじ部材２２は長穴４８に沿ってスライド可能である。【選択図】図１
2014014545.tif 000002
【特許請求の範囲】
【請求項１】
互いに直交する方向に延在する２辺を有するコーナー部を具える防煙シートの該コーナー部に装着されるコーナー部装着部材と、
互いに直交する方向に延在する２辺を有し、前記防煙シートのコーナー部の周囲に配置されるフレームのコーナー部と、
前記フレームのコーナー部から前記コーナー部装着部材に向けてまたは前記コーナー部装着部材から前記フレームのコーナー部に向けて前記各２辺に対し斜めに配置される雄ねじ部材、および前記コーナー部装着部材側または前記フレームのコーナー部側に配置されて前記雄ねじ部材がねじ込まれる雌ねじ部材を有し、前記コーナー部装着部材と前記フレームのコーナー部とを前記雄ねじ部材および前記雌ねじ部材を介して相互に連結し、前記雄ねじ部材および前記雌ねじ部材をねじ軸周り方向に相対回転させることにより前記コーナー部装着部材を該ねじ軸に沿った方向に移動させて前記防煙シートのコーナー部の２辺方向のテンションを同時に調整する２辺方向テンション同時調整機構と、
前記防煙シートのコーナー部の２辺方向のテンションの差による前記コーナー部装着部材をテンションが強い方向へ引っ張る力により、前記雄雌ねじ部材と前記フレームとの間もしくは前記雄雌ねじ部材と前記コーナー部装着部材との間または前記雄雌ねじ部材と前記フレームとの間および前記雄雌ねじ部材と前記コーナー部装着部材との間で相対移動を生じさせて該コーナー部装着部材を前記フレームに対し該テンションが強い方向へ移動させることにより、前記雄雌ねじ部材の相対回転による前記コーナー部装着部材の前記ねじ軸に沿った方向の移動のうち前記テンションが強い方向の反対方向への移動成分を打ち消すことにより前記防煙シートのコーナー部の２辺方向のテンションを調和させる２辺方向テンション調和機構と
を具備してなる防煙垂壁の防煙シートコーナー部支持構造。
【請求項２】
前記２辺方向テンション調和機構は、前記雄雌ねじ部材と前記フレームとの間もしくは前記雄雌ねじ部材と前記コーナー部装着部材との間または前記雄雌ねじ部材と前記フレームとの間および前記雄雌ねじ部材と前記コーナー部装着部材との間の平行移動により前記相対移動を生じさせる請求項1に記載の防煙垂壁の防煙シートコーナー部支持構造。
【請求項３】
前記２辺方向テンション同時調整機構は、
前記雌ねじ部材が前記コーナー部装着部材にねじ軸周り方向に回転不能に支持され、
前記雄ねじ部材が前記フレームにねじ軸周り方向に回転可能に支持された機構を有する
請求項１または２に記載の防煙垂壁の防煙シートコーナー部支持構造。
【請求項４】
前記２辺方向テンション調和機構は、前記フレームのコーナー部の頂点箇所に該コーナー部の２辺を斜めに繋ぐ方向に延在して構成された傾斜部と、該傾斜部に該傾斜部の延在方向に延在して構成された長穴とを有し、
前記雄ねじ部材は、軸部が前記長穴に通されて前記雌ねじ部材にねじ込まれ、頭部が前記防煙シートのテンションに抗して該長穴の周囲の前記傾斜部に係止されて該傾斜部の延在方向に沿ってスライド可能に配置されている
請求項３に記載の防煙垂壁の防煙シートコーナー部支持構造。
【請求項５】
前記コーナー部装着部材は、前記防煙シートのコーナー部に沿って装着されるＬ字型に屈曲した正面形状を有するＬ字型部材を具え、
前記雌ねじ部材は該Ｌ字型部材と一体に構成され、
該Ｌ字型部材は該Ｌ字型の頂点箇所に前記フレームの傾斜部と平行に配置される傾斜部を有し、
該Ｌ字型部材の傾斜部は、前記雌ねじ部材として、前記雄ねじ部材の軸部がねじ込まれるねじ穴を有する
請求項４に記載の防煙垂壁の防煙シートコーナー部支持構造。
【請求項６】
前記２辺方向テンション調和機構は、前記防煙シートのコーナー部の頂点箇所に相当する前記コーナー部装着部材の箇所に該コーナー部の２辺を斜めに繋ぐ方向に延在して構成された傾斜部と、該傾斜部に該傾斜部の延在方向に延在して構成された長穴とを有し、
前記雄ねじ部材は軸部が前記長穴に通されて前記雌ねじ部材にねじ込まれ、
前記雌ねじ部材は前記防煙シートのテンションに抗して該長穴の周囲の前記傾斜部に係止されて該傾斜部の延在方向に沿ってスライド可能に配置されている
請求項３に記載の防煙垂壁の防煙シートコーナー部支持構造。
【請求項７】
前記２辺方向テンション同時調整機構は、
前記雌ねじ部材が前記フレームにねじ軸周り方向に回転不能に支持され、
前記雄ねじ部材が前記コーナー部装着部材にねじ軸周り方向に回転可能に支持された機構を有する
請求項１または２に記載の防煙垂壁の防煙シートコーナー部支持構造。
【請求項８】
前記２辺方向テンション調和機構は、前記防煙シートのコーナー部の頂点箇所に相当する前記コーナー部装着部材の箇所に該コーナー部の２辺を斜めに繋ぐ方向に延在して構成された傾斜部と、該傾斜部に該傾斜部の延在方向に延在して構成された長穴とを有し、
前記雄ねじ部材は軸部が前記長穴に通され、
該雄ねじ部材の軸部には前記長穴に通された側でストッパが設けられ、
前記ストッパは前記防煙シートのテンションに抗して前記長穴の周囲の前記傾斜部に係止されて、該傾斜部の延在方向に沿ってスライド可能に配置されている
請求項７に記載の防煙垂壁の防煙シートコーナー部支持構造。
【請求項９】
前記２辺方向テンション同時調整機構は、
前記雄ねじ部材が前記コーナー部装着部材にねじ軸周り方向に回転不能に支持され、
該雄ねじ部材の軸部が前記フレームに形成されたねじ通し穴に通され、
前記雌ねじ部材が前記ねじ通し穴を通して前記フレームの外側に突出する前記雄ねじ部材の軸部にねじ込まれて、前記防煙シートのテンションに抗して前記ねじ通し穴の周囲の前記フレームに係止される
請求項１または２に記載の防煙垂壁の防煙シートコーナー部支持構造。
【請求項１０】
前記２辺方向テンション調和機構は、前記フレームのコーナー部の頂点箇所に該コーナー部の２辺を斜めに繋ぐ方向に延在して構成された傾斜部を有し、
前記ねじ通し穴は該傾斜部に該傾斜部の延在方向に延在して構成された長穴として構成され、
前記雄ねじ部材は軸部が前記長穴に通され、
該雄ねじ部材の軸部には前記長穴外側で前記雌ねじ部材がねじ込まれ、
前記雌ねじ部材は前記防煙シートのテンションに抗して前記長穴の周囲の前記傾斜部に係止されて、該傾斜部の延在方向に沿ってスライド可能に配置されている
請求項９に記載の防煙垂壁の防煙シートコーナー部支持構造。
【請求項１１】
前記２辺方向テンション調和機構は、前記雄雌ねじ部材と前記フレームとの間および前記雄雌ねじ部材と前記コーナー部装着部材との間の揺動により前記相対移動を生じさせる請求項1に記載の防煙垂壁の防煙シートコーナー部支持構造。
【請求項１２】
正面形状が矩形の防煙シートと、
正面形状が矩形の枠を有し該枠に前記防煙シートを配置するフレームと、
前記防煙シートの四隅のコーナー部にそれぞれ装着されるコーナー部装着部材と、
前記フレームのコーナー部から前記コーナー部装着部材に向けてまたは前記コーナー部装着部材から前記フレームのコーナー部に向けて前記各２辺に対し斜めに配置される雄ねじ部材、および前記コーナー部装着部材側または前記フレームのコーナー部側に配置されて前記雄ねじ部材がねじ込まれる雌ねじ部材を有し、前記コーナー部装着部材と前記フレームのコーナー部とを前記雄ねじ部材および前記雌ねじ部材を介して相互に連結し、前記雄ねじ部材および前記雌ねじ部材をねじ軸周り方向に相対回転させることにより前記コーナー部装着部材を該ねじ軸に沿った方向に移動させて前記防煙シートのコーナー部の２辺方向のテンションを同時に調整する、前記矩形のコーナー部ごとに設けられた２辺方向テンション同時調整機構と、
前記防煙シートのコーナー部の２辺方向のテンションの差による前記コーナー部装着部材をテンションが強い方向へ引っ張る力により、前記雄雌ねじ部材と前記フレームとの間もしくは前記雄雌ねじ部材と前記コーナー部装着部材との間または前記雄雌ねじ部材と前記フレームとの間および前記雄雌ねじ部材と前記コーナー部装着部材との間で相対移動を生じさせて該コーナー部装着部材を前記フレームに対し該テンションが強い方向へ移動させることにより、前記雄雌ねじ部材の相対回転による前記コーナー部装着部材の前記ねじ軸に沿った方向の移動のうち前記テンションが強い方向の反対方向への移動成分を打ち消すことにより前記防煙シートのコーナー部の２辺方向のテンションを調和させる、前記矩形のコーナー部ごとに設けられた２辺方向テンション調和機構と
を具備してなる防煙垂壁。
【請求項１３】
前記フレームに固定装着されたカバーをさらに具え、該カバーの各コーナー部には該コーナー部から工具を差し込んで前記雄ねじ部材または前記雌ねじ部材を操作する切欠がそれぞれ形成されている請求項１２に記載の防煙垂壁。
【発明の詳細な説明】
【技術分野】
【０００１】
この発明は可撓性の防煙シートを使用した防煙垂壁において防煙シートのコーナー部を支持する構造および該支持構造を利用した防煙垂壁に関し、防煙シートの１つのコーナー部について１本のねじ部材を配置して該コーナー部の２辺方向のテンションを同時に調整しつつ、該２辺方向のテンションが自動的に調和されるようにして、防煙シートのしわを解消するためのテンションの調整を容易にしたものである。
【背景技術】
【０００２】
可撓性の防煙シートを使用した防煙垂壁は、ガラス板を使用した防煙垂壁に比べて、地震等で落下したときの安全性が高い反面、しわが生じて見栄えを悪くする問題がある。下記特許文献１には防煙シートにテンションをかけてしわを解消する技術が開示されている。これは防煙シートの長手方向（水平方向）の両端部を端部保持具にそれぞれ保持し、該両方の端部保持具で防煙シートを長手方向に引っ張ってテンションをかけるとともに、該防煙シートの短手方向（垂直方向）の両端部をレールにそれぞれ保持し、該両レール間に板ばねの両端部を固定し、該板ばねで上下両レール間に拡開する力を作用させて、防煙シートに短手方向のテンションをかけることにより、防煙シートをしわの無い状態に張るようにしたものである。端部保持具で防煙シートを長手方向に引っ張る構造は、防煙シートの左右両辺部にシート取付用筒体を装着し、該シート取付用筒体にボルトを外向きに装着し、該ボルトの軸部を壁面に支持された保持具本体のねじ穴にねじ込んで、防煙シートをシート取付用筒体およびボルトを介して保持具本体に支持する構造で構成される。保持具本体に対するボルトのねじ込み量を調整することにより、防煙シートの長手方向のテンションを調整することができる。ボルトはカバーで覆い隠されており、テンションの調整を行うときはカバーを外してボルトを操作する。
【０００３】
下記特許文献２にはシート状物で構成された看板やテント、カーテン、間仕切り等をしわのない状態に張る技術が開示されている。これはシート状物の辺部に沿って適宜の間隔で保持具を装着し、各保持部にボルトを外向きに装着し、ボルトの軸部を架台に支持されたフレームの穴に差し込み、該軸部にナットを装着することにより、シート状物の辺部を保持具およびボルト・ナットを介してフレームに支持したものである。ボルトに対するナットのねじ込み量を調整することにより、シート状物のテンションを調整することができる。ボルト・ナットはカバーで覆い隠されており、テンションの調整を行うときはカバーを外してナットを操作する。
【０００４】
下記特許文献３にはポスター用のテンションパネルが開示されている。これはポスターの各コーナー部にＬ字型のコーナー金具をそれぞれ装着し、ポスターを張る枠を構成するフレームの四隅と各コーナー金具の角とをコイルばねでそれぞれ連結してポスターのコーナー部相互間にテンションをかけることにより、ポスターをしわの無い状態に張るようにしたものである。
【先行技術文献】
【特許文献】
【０００５】
【特許文献１】特開２００８−２２０５０８号公報（図１、図２、図４）
【特許文献２】特開２００３−２０６６５１号公報（図１）
【特許文献３】特開平０７−２９５４９１号公報（図１、図２）
【特許文献４】特願２０１２−１３９１２４号の明細書および図面
【発明の概要】
【発明が解決しようとする課題】
【０００６】
特許文献１，２に記載のテンション付与構造によれば、シートのテンションを一方向にしか調整できないので、しわを解消するのが難しかった。特許文献３に記載のテンション付与構造によれば、シートのコーナー部に配置した１本のコイルばねで２辺方向に同時にテンションを付与することができるが、２辺方向のテンションを調和させるのが容易でなく、特に長尺のシートの場合、しわを完全に解消するのは難しかった。
【０００７】
本出願人らは先に、防煙シートのしわを解消しやすくした防煙シートのコーナー部の支持構造を特許文献４で提案した。これは防煙シートのコーナー部を２本のねじ部材で防煙シートの２辺方向に個別に引っ張るようにしたものである。これによれば防煙シートのコーナー部を２辺方向に独立に引っ張ることができるので、２辺方向のテンションを調整して防煙シートのしわを解消することができる。しかし特許文献４に記載の構造によれば、防煙シートのテンションを調整するために、１つのコーナー部に２本のねじ部材が必要となるため、しわを解消するためのテンションの調整が面倒であった。
【０００８】
この発明は防煙シートの１つのコーナー部について１本のねじ部材を配置して該コーナー部の２辺方向のテンションを同時に調整しつつ、該２辺方向のテンションが自動的に調和されるようにして、防煙シートのしわを解消するためのテンションの調整を容易にした防煙垂壁の防煙シートコーナー部支持構造および防煙垂壁を提供しようとするものである。
【課題を解決するための手段】
【０００９】
この発明の防煙シートのコーナー部の支持構造は、互いに直交する方向に延在する２辺を有するコーナー部を具える防煙シートの該コーナー部に装着されるコーナー部装着部材と、互いに直交する方向に延在する２辺を有し、前記防煙シートのコーナー部の周囲に配置されるフレームのコーナー部と、前記フレームのコーナー部から前記コーナー部装着部材に向けてまたは前記コーナー部装着部材から前記フレームのコーナー部に向けて前記各２辺に対し斜めに配置される雄ねじ部材、および前記コーナー部装着部材側または前記フレームのコーナー部側に配置されて前記雄ねじ部材がねじ込まれる雌ねじ部材を有し、前記コーナー部装着部材と前記フレームのコーナー部とを前記雄ねじ部材および前記雌ねじ部材を介して相互に連結し、前記雄ねじ部材および前記雌ねじ部材をねじ軸周り方向に相対回転させることにより前記コーナー部装着部材を該ねじ軸に沿った方向に移動させて前記防煙シートのコーナー部の２辺方向のテンションを同時に調整する２辺方向テンション同時調整機構と、前記防煙シートのコーナー部の２辺方向のテンションの差による前記コーナー部装着部材をテンションが強い方向へ引っ張る力により、前記雄雌ねじ部材と前記フレームとの間もしくは前記雄雌ねじ部材と前記コーナー部装着部材との間または前記雄雌ねじ部材と前記フレームとの間および前記雄雌ねじ部材と前記コーナー部装着部材との間で相対移動を生じさせて該コーナー部装着部材を前記フレームに対し該テンションが強い方向へ移動させることにより、前記雄雌ねじ部材の相対回転による前記コーナー部装着部材の前記ねじ軸に沿った方向の移動のうち前記テンションが強い方向の反対方向への移動成分を打ち消すことにより前記防煙シートのコーナー部の２辺方向のテンションを調和させる２辺方向テンション調和機構とを具備してなるものである。これによれば、防煙シートの１つのコーナー部について１本の雄ねじ部材を配置して、該雄ねじ部材と雌ねじ部材とをねじ軸周り方向に相対回転させることにより、２辺方向テンション同時調整機構で該コーナー部の２辺方向のテンションが同時に調整され、２辺方向テンション調和機構で該２辺方向のテンションが自動的に調和されるので、防煙シートのしわを解消するためのテンションの調整を容易に行うことができる。
【００１０】
この発明の支持構造において前記２辺方向テンション調和機構は、例えば、前記雄雌ねじ部材と前記フレームとの間もしくは前記雄雌ねじ部材と前記コーナー部装着部材との間または前記雄雌ねじ部材と前記フレームとの間および前記雄雌ねじ部材と前記コーナー部装着部材との間の平行移動により前記相対移動を生じさせるものとすることができる。
【００１１】
この発明の支持構造において前記２辺方向テンション同時調整機構は、例えば、前記雌ねじ部材が前記コーナー部装着部材にねじ軸周り方向に回転不能に支持され、前記雄ねじ部材が前記フレームにねじ軸周り方向に回転可能に支持された機構を有するものとすることができる。これによれば雄ねじ部材を雌ねじ部材に対し回転することにより、テンションの調整を行うことができる。この場合前記２辺方向テンション調和機構は、例えば、前記フレームのコーナー部の頂点箇所に該コーナー部の２辺を斜めに繋ぐ方向に延在して構成された傾斜部と、該傾斜部に該傾斜部の延在方向に延在して構成された長穴とを有し、前記雄ねじ部材は、軸部が前記長穴に通されて前記雌ねじ部材にねじ込まれ、頭部が前記防煙シートのテンションに抗して該長穴の周囲の前記傾斜部に係止されて該傾斜部の延在方向に沿ってスライド可能に配置されているものとすることができる。この場合前記コーナー部装着部材は、例えば、前記防煙シートのコーナー部に沿って装着されるＬ字型に屈曲した正面形状を有するＬ字型部材を具え、前記雌ねじ部材は該Ｌ字型部材と一体に構成され、該Ｌ字型部材は該Ｌ字型の頂点箇所に前記フレームの傾斜部と平行に配置される傾斜部を有し、該Ｌ字型部材の傾斜部は、前記雌ねじ部材として、前記雄ねじ部材の軸部がねじ込まれるねじ穴を有するものとすることができる。また前記２辺方向テンション調和機構は、例えば、前記防煙シートのコーナー部の頂点箇所に相当する前記コーナー部装着部材の箇所に該コーナー部の２辺を斜めに繋ぐ方向に延在して構成された傾斜部と、該傾斜部に該傾斜部の延在方向に延在して構成された長穴とを有し、前記雄ねじ部材は軸部が前記長穴に通されて前記雌ねじ部材にねじ込まれ、前記雌ねじ部材は前記防煙シートのテンションに抗して該長穴の周囲の前記傾斜部に係止されて該傾斜部の延在方向に沿ってスライド可能に配置されているものとすることができる。
【００１２】
この発明の支持構造において前記２辺方向テンション同時調整機構は、例えば、前記雌ねじ部材が前記フレームにねじ軸周り方向に回転不能に支持され、前記雄ねじ部材が前記コーナー部装着部材にねじ軸周り方向に回転可能に支持された機構を有するものとすることができる。これによれば雄ねじ部材を雌ねじ部材に対し回転することにより、テンションの調整を行うことができる。この場合前記２辺方向テンション調和機構は、例えば、前記防煙シートのコーナー部の頂点箇所に相当する前記コーナー部装着部材の箇所に該コーナー部の２辺を斜めに繋ぐ方向に延在して構成された傾斜部と、該傾斜部に該傾斜部の延在方向に延在して構成された長穴とを有し、前記雄ねじ部材は軸部が前記長穴に通され、該雄ねじ部材の軸部には前記長穴に通された側でストッパが設けられ、前記ストッパは前記防煙シートのテンションに抗して前記長穴の周囲の前記傾斜部に係止されて、該傾斜部の延在方向に沿ってスライド可能に配置されているものとすることができる。
【００１３】
この発明の支持構造において前記２辺方向テンション同時調整機構は、例えば、前記雄ねじ部材が前記コーナー部装着部材にねじ軸周り方向に回転不能に支持され、該雄ねじ部材の軸部が前記フレームに形成されたねじ通し穴に通され、前記雌ねじ部材が前記ねじ通し穴を通して前記フレームの外側に突出する前記雄ねじ部材の軸部にねじ込まれて、前記防煙シートのテンションに抗して前記ねじ通し穴の周囲の前記フレームに係止されるものとすることができる。これによれば雌ねじ部材を雄ねじ部材に対し回転することにより、テンションの調整を行うことができる。この場合前記２辺方向テンション調和機構は、例えば、前記フレームのコーナー部の頂点箇所に該コーナー部の２辺を斜めに繋ぐ方向に延在して構成された傾斜部を有し、前記ねじ通し穴は該傾斜部に該傾斜部の延在方向に延在して構成された長穴として構成され、前記雄ねじ部材は軸部が前記長穴に通され、該雄ねじ部材の軸部には前記長穴外側で前記雌ねじ部材がねじ込まれ、前記雌ねじ部材は前記防煙シートのテンションに抗して前記長穴の周囲の前記傾斜部に係止されて、該傾斜部の延在方向に沿ってスライド可能に配置されているものとすることができる。
【００１４】
この発明の支持構造において前記２辺方向テンション調和機構は、例えば、前記雄ねじを前記コーナー部装着部材および前記フレームの両方に対し前記防煙シートに沿った面内で揺動可能に連結する機構を有するものとすることができる。
【００１５】
この発明の防煙垂壁は、正面形状が矩形の防煙シートと、正面形状が矩形の枠を有し該枠に前記防煙シートを配置するフレームと、前記防煙シートの四隅のコーナー部にそれぞれ装着されるコーナー部装着部材と、前記フレームのコーナー部から前記コーナー部装着部材に向けてまたは前記コーナー部装着部材から前記フレームのコーナー部に向けて前記各２辺に対し斜めに配置される雄ねじ部材、および前記コーナー部装着部材側または前記フレームのコーナー部側に配置されて前記雄ねじ部材がねじ込まれる雌ねじ部材を有し、前記コーナー部装着部材と前記フレームのコーナー部とを前記雄ねじ部材および前記雌ねじ部材を介して相互に連結し、前記雄ねじ部材および前記雌ねじ部材をねじ軸周り方向に相対回転させることにより前記コーナー部装着部材を該ねじ軸に沿った方向に移動させて前記防煙シートのコーナー部の２辺方向のテンションを同時に調整する、前記矩形のコーナー部ごとに設けられた２辺方向テンション同時調整機構と、前記防煙シートのコーナー部の２辺方向のテンションの差による前記コーナー部装着部材をテンションが強い方向へ引っ張る力により、前記雄雌ねじ部材と前記フレームとの間もしくは前記雄雌ねじ部材と前記コーナー部装着部材との間または前記雄雌ねじ部材と前記フレームとの間および前記雄雌ねじ部材と前記コーナー部装着部材との間で相対移動を生じさせて該コーナー部装着部材を前記フレームに対し該テンションが強い方向へ移動させることにより、前記雄雌ねじ部材の相対回転による前記コーナー部装着部材の前記ねじ軸に沿った方向の移動のうち前記テンションが強い方向の反対方向への移動成分を打ち消すことにより前記防煙シートのコーナー部の２辺方向のテンションを調和させる、前記矩形のコーナー部ごとに設けられた２辺方向テンション調和機構とを具備してなるものである。これによれば、矩形の防煙シートの各コーナー部についてそれぞれ１本の雄ねじ部材を配置して、該雄ねじ部材と雌ねじ部材とをねじ軸周り方向に相対回転させることにより、２辺方向テンション同時調整機構で該コーナー部の２辺方向のテンションが同時に調整され、２辺方向テンション調和機構で該２辺方向のテンションが自動的に調和されるので、防煙シートが長尺であっても比較的容易にしわを解消することができる。
【００１６】
この発明の防煙垂壁は、例えば、前記フレームに固定装着されたカバーをさらに具え、該カバーの各コーナー部には該コーナー部から工具を差し込んで前記雄ねじ部材または前記雌ねじ部材を操作する切欠がそれぞれ形成されているものとすることができる。これによればカバーにより意匠性を向上させることができる。またカバーを装着した状態でテンションを調整することができる。
【図面の簡単な説明】
【００１７】
【図１】４つのコーナー部の全てにこの発明による防煙シートコーナー部支持構造を具えたこの発明による防煙垂壁の実施の形態１を示す正面図（図２の上側から見た図。ただし図２に符号３２ａ，３２ｃで示す面を除去した状態で示す）である。
【図２】図１の防煙垂壁のＩ−Ｉ矢視模式端面図およびＩＩ−ＩＩ矢視模式端面図である。
【図３】図１の防煙垂壁１０のコーナー部の構造を示す分解斜視図である。
【図４】図３のコーナー部の構造を組み立てた状態を示す斜視図である（カバーを外した状態で示す）。
【図５】図３のコーナー部の構造を組み立てた状態を示す正面図である（カバーを外した状態で示す）。
【図６】図５のＩＩＩ−ＩＩＩ矢視位置の断面図である（カバーを装着した状態で示す）。
【図７】図５のＩＶ−ＩＶ矢視位置の断面図である（カバーを装着した状態で示す）。
【図８】図１の防煙垂壁においてテンション調整ねじを締め込んでいったときのコーナー部装着部材の移動動作およびテンション調整ねじのスライド動作を示す正面図である。
【図９】図８の各工程における防煙シートのしわの状態を示す正面図である。
【図１０】４つのコーナー部のうち第２コーナー部Ｃ２にのみこの発明による防煙シートコーナー部支持構造を設置したこの発明による防煙垂壁の実施の形態２を示す正面図である。
【図１１】テンション調整ねじをフレームに対してスライド可能に配置した図５の構造に代えて、テンション調整ねじをコーナー部装着部材に対してスライド可能に配置した実施の形態を示す正面図である（カバーを外した状態で示す）。
【図１２】図１１のＶ−Ｖ矢視位置の断面図である（カバーを装着した状態で示す）。
【図１３】雌ねじ部材をフレーム側のテンション調整ねじ受け金具に一体に構成した実施の形態を示す正面図である（カバーを外した状態で示す）。
【図１４】図１３のＶＩ−ＶＩ矢視位置の断面図である（カバーを装着した状態で示す）。
【図１５】テンション調整ねじをコーナー部装着部材に固定し、テンション調整ねじ受け金具の外側でテンション調整ねじに雌ねじ部材をねじ込むようにした実施の形態を示す正面図である（カバーを外した状態で示す）。
【図１６】図１５のＶＩＩ−ＶＩＩ矢視位置の断面図である（カバーを装着した状態で示す）。
【図１７】テンション調整ねじをフレームおよびコーナー部装着部材に対して揺動可能に配置した実施の形態を示す正面図である（カバーを外した状態で示す）。
【図１８】図１７のＶＩＩＩ−ＶＩＩＩ矢視位置の断面図である（カバーを装着した状態で示す）。
【発明を実施するための形態】
【００１８】
《実施の形態１》
この発明の実施の形態１を以下説明する。図１はこの発明による防煙シートコーナー部支持構造を具えた防煙垂壁１０を示す。なお図１は防煙垂壁１０をカバー３２（図２）に対面する面側（図２の上側）から見たものである。図１ではカバー３２の構造のうち、図２に符号３２ａ，３２ｃで示す面を除去した状態で示している。防煙垂壁１０は正面形状が矩形の防煙シート１２と、正面形状が矩形の枠を有し該枠内に防煙シート１２を配置したフレーム１４を具えている。防煙シート１２は４つの辺部２４と４つのコーナー部１６を具えている。各コーナー部１６は互いに直交する方向に延在する２辺２４，２４の端部どうしの組み合わせで構成される。フレーム１４は４つの辺部２８と４つのコーナー部２０を具えている。各コーナー部２０は互いに直交する方向に延在する２辺２８，２８の端部どうしの組み合わせで構成される。防煙垂壁１０の第１乃至第４コーナー部Ｃ１〜Ｃ４には防煙シート１２の四隅のコーナー部１６をフレーム１４の対面するコーナー部２０に連結する構造が構成されている。すなわち防煙シート１２の四隅のコーナー部１６にはコーナー部装着部材１８がそれぞれ装着されている。各コーナー部装着部材１８の頂点箇所（防煙シート１２のコーナー部１６の頂点箇所）はフレーム１４の対面するコーナー部２０の頂点箇所に、正面から見て防煙垂壁１０の縦・横方向に対し４５度の角度で渡された１本のテンション調整ねじ２２（雄ねじ部材）でそれぞれ連結支持されている。テンション調整ねじ２２によるコーナー部装着部材１８とフレーム１４のコーナー部２０との連結構造は４箇所のコーナー部Ｃ１〜Ｃ４とも同一である。テンション調整ねじ２２は軸部がコーナー部装着部材１８のねじ穴にねじ込まれ、頭部がフレーム１４のコーナー部２０に４５度の傾斜角度を保ったままスライド（平行移動）可能に支持されている。
【００１９】
この実施の形態では防煙垂壁１０の第１乃至第４コーナー部Ｃ１〜Ｃ４の間の辺部Ｓ１〜Ｓ４には防煙シート１２の辺部２４をフレーム１４の対面する辺部２８の対面する位置に連結する構造を配置していないが、そのような連結構造を追加配置することもできる。
【００２０】
フレーム１４の外周面にはカバー３２がビス３４によって固定装着されている。防煙垂壁１０は前面側から見た寸法が例えば長手方向（図１の横方向）の長さが１５００ｍｍ、短手方向（図１の縦方向）の長さが５００ｍｍであり、横方向に長尺である。ここでは第４辺部Ｓ４を上側、第２辺部Ｓ２を下側に配置して使用するものとする。防煙垂壁１０は例えば、従来の防煙垂壁と同様に、屋内の天井に設置されたレールに上辺部Ｓ４が吊り下げ支持される。複数の防煙垂壁１０を横方向に連結する場合は、隣接する防煙垂壁１０，１０どうしの突き合わせ面を構成する側辺部Ｓ１，Ｓ３間に天井から吊り金具を垂直に吊り下げ、該吊り金具の下端部に受け金具を取り付け、隣接する防煙垂壁１０，１０の下辺部Ｓ２，Ｓ２の突き合わされる端部どうしを受け金具の凹所で受けて相互に連結する。
【００２１】
防煙垂壁１０の各部の詳細について説明する。防煙シート１２は例えばガラス繊維織物を樹脂フィルムで挟み込んで一体化した可撓性の複合シートで構成される。フレーム１４は例えば図２に示すように、断面コ字型の４本のアルミ型材を該断面コ字の開口をフレーム１４の枠が構成する面の一面側（図２では上面側）に開口させた向きにそれぞれ配置して、正面形状を長四辺形に組んで相互に連結して全体が剛性に構成される。防煙シート１２の外周縁部１２ａはフレーム１４の内壁面部１４ａと外壁面部１４ｂとの間に配置される。つまり防煙シート１２の縦方向、横方向の長さａは、フレーム１４の外壁面部１４ｂで囲まれた開口部３３の長さｂよりも短い。これにより防煙シート１２を、外壁面部１４ｂに支持して、開口部３３内で張った状態に展張することができる。また防煙シート１２の縦方向、横方向の長さａは、フレーム１４の内壁面部１４ａで囲まれた開口部３５の長さｃよりも長い。これにより防煙シート１２の外周縁部１２ａおよびコーナー部装着部材１８（図１）の一面側をフレーム１４の内壁面部１４ａおよび側面部１４ｃ（防煙垂壁１０の面に平行な面）で覆い隠して、防煙垂壁１０の外観を良くすることができる。また防煙シート１２の外周縁部１２ａとフレーム１４とが重なり合うので、防煙シート１２の周縁部から煙が漏れるのを抑制することができる。
【００２２】
カバー３２は例えば図２に示すように、断面Ｌ字型に近い断面コ字型の４本のアルミ型材を、該断面コ字の開口をフレーム１４の断面コ字の開口に対面させて、フレーム１４の外側を取り囲むように配置して、正面形状を長四辺形に組んで相互に連結して全体が剛性に構成される。フレーム１４とカバー３２とは、相互に重なる外壁面部１４ｂ，３２ｂに、両型材の長手方向に適宜の間隔で、外側からビス３４（図１）をねじ込むことにより相互に連結される。カバー３２の内壁面部３２ａで囲まれた開口部３７の長さｄはフレーム１４の内壁面部１４ａで囲まれた開口部３５の長さｃと等しい。また相互に対面するフレーム１４の内壁面部１４ａの先端部とカバー３２の内壁面部３２ａの先端部との間には短いギャップｇ（例えば１〜２ｍｍ）が形成され、該ギャップｇから防煙シート１２が排出されている。これにより防煙シート１２の外周縁部１２ａおよびコーナー部装着部材１８（図１）の他面側をカバー３２の内壁面部３２ａおよび側面部３２ｃで覆い隠して、防煙垂壁１０の外観を良くすることができる。また防煙シート１２の外周縁部１２ａとカバー３２とが重なり合うので、防煙シート１２の周縁部から煙が漏れるのを抑制することができる。防煙垂壁１０の厚さｅはフレーム１４とカバー３２を組み合わせた厚さであり、例えば８ｍｍである。
【００２３】
防煙垂壁１０のコーナー部Ｃ１〜Ｃ４の構造を図３に分解して示す。コーナー部装着部材１８は断面Ｌ字型でかつ正面形状がＬ字型の引っ張り金具３６（Ｌ字型部材）と、正面形状がＬ字型で平板状の押さえ金具３８（Ｌ字型部材）を具える。引っ張り金具３６は上面部３６ａと立面部３６ｂを有する。上面部３６ａの上に防煙シート１２のコーナー部１６を載せて、その上に押さえ金具３８を載せて、ビス４０を押さえ金具３８の穴（ねじ通し穴）４２から防煙シート１２の穴４４に通して引っ張り金具３６のねじ穴（雌ねじ）４６にねじ込むことにより、防煙シート１２のコーナー部１６にコーナー部装着部材１８が装着される。引っ張り金具３６の上面部３６ａと防煙シート１２のコーナー部１６の対向面どうし、押さえ金具３８と防煙シート１２のコーナー部１６の対向面どうしのいずれか一方または両方を両面接着テープで接合したうえでビス４０で締め付けて装着することもできる。
【００２４】
フレーム１４のコーナー部２０の外壁面部１４ｂには、コーナーの頂点箇所に切欠４７が形成されている。外壁面部１４ｂの内周面側には、切欠４７を挟んで外壁面部１４ｂの両辺に跨ってテンション調整ねじ受け金具４９がビス５１によって固定される。テンション調整ねじ受け金具４９は、図５に示すように、１本の平板を長手方向の２箇所で折り曲げて、外壁面部１４ｂに固定される両側の固定部４９ａ，４９ｂと、固定部４９ａ，４９ｂ間をフレーム１４の縦・横方向に対し４５度の傾斜角度で繋ぐ傾斜部４９ｃを形成して構成される。固定部４９ａ，４９ｂにはねじ穴（雌ねじ）５３が形成され、傾斜部４９ｃにはその長手方向に沿って長穴（ねじ通し穴）４８が形成されている。図３において、４本のビス５１を外壁面部１４ｂの４箇所のねじ通し穴５５に通してテンション調整ねじ受け金具４９の４箇所のねじ穴５３にそれぞれねじ込むことにより、テンション調整ねじ受け金具４９は外壁面部１４ｂの内周面側に固定される。このとき傾斜部４９ｃは切欠４７に露出した状態となる。
【００２５】
引っ張り金具３６の立面部３６ｂには図５に示すようにＬ字の頂点箇所にＬ字の縦・横方向に対し４５度の傾斜角度で傾斜した傾斜部３６ｃが形成され、傾斜部３６ｃの中央部にはねじ穴（雌ねじ）５２が形成されている。すなわち引っ張り金具３６には雌ねじ部材が一体化されている。フレーム１４の矩形に対し防煙シート１２の矩形が傾きなく配置されていれば傾斜部４９ｃ，３６ｃは互いに平行に配置される。フレーム１４の傾斜部４９ｃの長穴４８には切欠４７を通して外部からテンション調整ねじ２２の軸部２２ａが自在に差し込まれ、軸部２２ａはコーナー部装着部材１８の引っ張り金具３６の立面部３６ｂの傾斜部３６ｃに形成されたねじ穴５２にねじ込まれる。これにより、防煙シート１２のコーナー部１６はコーナー部装着部材１８およびテンション調整ねじ２２を介してフレーム１４のコーナー部２０に連結支持される。
【００２６】
テンション調整ねじ受け金具４９の長穴４８の幅（短手方向の長さ）はテンション調整ねじ２２の軸部２２ａの直径よりも広くかつ頭部２２ｂよりも狭い。したがってテンション調整ねじ２２は、頭部２２ｂが長穴４８の短手方向の両側の傾斜部４９ｃで係止される。これによりコーナー部装着部材１８はテンション調整ねじ２２のねじ込み量に応じてフレーム１４のコーナー部２０の頂点箇所に対し接近、離隔可能にテンション調整ねじ受け金具４９に支持される。またテンション調整ねじ２２は長穴４８に沿ってスライド可能にテンション調整ねじ受け金具４９に支持される。テンション調整ねじ２２を引っ張り金具３６のねじ穴５２にねじ込んでいくと、コーナー部装着部材１８は防煙シート１２のテンションに抗してテンション調整ねじ受け金具４９に接近する方向に移動し、その結果防煙シート１２のテンションは強められる。逆にテンション調整ねじ２２を緩めると、コーナー部装着部材１８は防煙シート１２のテンションによりテンション調整ねじ受け金具４９から離れる方向に移動し、その結果防煙シート１２のテンションは弱められる。このようにして防煙シート１２のテンションが調整される。４箇所のコーナー部２０でこの調整を適宜行うことにより、防煙シート１２のしわを解消することができる。
【００２７】
フレーム１４には外側からカバー３２が被せられ、カバー３２の外側からビス３４をカバー３２の外壁面部３２ｂ（防煙垂壁１０の面に直角な面）の穴（ねじ通し穴）５６を通してフレーム１４の外壁面部１４ｂのねじ穴（雌ねじ）５８にねじ込むことにより、フレーム１４とカバー３２が相互に連結される。カバー３２の外壁面部３２ｂには、カバー３２の外からテンション調整ねじ２２を操作できるように、フレーム１４の切欠４７と重なる位置に切欠６０が形成されている。
【００２８】
図３のコーナー部の構造を組み立てた状態を図４、図５に示す。また図５のＩＩＩ−ＩＩＩ矢視位置、ＩＶ−ＩＶ矢視位置の断面図を図６、図７にそれぞれ示す。テンション調整ねじ２２を回すとコーナー部装着部材１８はフレーム１４およびカバー３２に対し、図５に矢印Ａで示す方向すなわちテンション調整ねじ２２の軸に沿った方向（防煙垂壁１０の縦・横方向に対し４５度の角度方向）に移動する。またテンション調整ねじ２２は長穴４８に沿って図５に矢印Ｂで示す方向すなわちテンション調整ねじ２２の軸に直交する方向（つまりテンション調整ねじ２２のねじ軸に沿わない方向）にスライド可能である。
【００２９】
以上説明した防煙垂壁１０における防煙シート１２の展張操作を図８、図９を参照して説明する。図８はテンション調整ねじ２２を締め込んでいったときのコーナー部装着部材１８の移動動作およびテンション調整ねじ２２のスライド動作を示し（図１の第２コーナー部Ｃ２について示すものとする）、図９は図８の各工程における防煙シートのしわの状態を示す。なお図８、図９はカバー３２の図示を省略しているが、テンション調整はカバー３２を装着した状態で、フレーム１４およびカバー３２の切欠４７，６０からねじ回しを差し込んでテンション調整ねじ２２を回転操作して行う。
【００３０】
<<工程(i)：テンションがかかる前>>
図８(i)はテンション調整ねじ２２を長穴４８に通してコーナー部装着部材１８に連結して防煙垂壁１０を組み立てた状態を示す。これは防煙シート１２にテンションがかかる前の状態で、防煙シート１２には図９(i)に示すように全体にしわ５７が生じている。
【００３１】
<<工程(ii)：テンションかかり始め>>
この状態からテンション調整ねじ２２を締め込んでいくと（４つのコーナー部で均等に締め込んでいく）、図８(ii)に示すようにテンション調整ねじ２２のスライド動作を伴うことなくコーナー部装着部材１８は矢印Ａで示す方向（テンション調整ねじ２２の軸に沿った方向）に移動し、防煙シート１２にテンションがかかり始める。その結果防煙シート１２には図９(ii)に示すように長手方向両端部でしわが消え長手方向中央部にしわ５７が残った状態となる。このとき防煙シート１２の長手方向（左右方向）の両端部で短手方向（上下方向）のテンションが十分に大きく、短手方向（上下方向）の両端部で長手方向（左右方向）のテンションが不十分な状態となっている。すなわちテンション調整ねじ２２の締め込みによるコーナー部装着部材１８の変位量は長手方向と短手方向で等量となるが、防煙シート１２の伸び量に対するテンションの増大の割合は短手方向が長手方向よりも大きいので、短手方向のテンションの方が長手方向のテンションよりも先に大きくなる。
【００３２】
<<工程(iii)：しわ消失、展張終了>>
この状態から防煙垂壁１０の長手方向の一側部で上下２箇所のテンション調整ねじ２２をさらに締め込んでいくと、該一端部で防煙シート１２は短手方向のテンションがすでに十分に大きくなっているため、短手方向には伸びることができない。その結果テンション調整ねじ２２は図８(iii)に矢印Ｂで示す方向（テンション調整ねじ２２の軸に直交する方向）にスライドし、コーナー部装着部材１８は矢印Ｃに示す方向（防煙垂壁１０の長手方向）に移動する。すなわちテンション調整ねじ２２を締め込むことによるコーナー部装着部材１８の下方への変位は、テンション調整ねじ２２が傾斜部４９ｃに沿って左上方にスライドすることにより打ち消されて減少するに対し、テンション調整ねじ２２を締め込むことによるコーナー部装着部材１８の左方への移動は、テンション調整ねじ２２が傾斜部４９ｃに沿って左上方にスライドすることにより増加する。その結果防煙シート１２の短手方向のテンションはほぼ一定値に維持されたまま長手方向のテンションが増加して（つまり短手方向と長手方向のテンションが調和されて）、図９(iii)に示すように防煙シート１２の全面からしわが消失する。これで展張操作が終了する。
【００３３】
《実施の形態２》
前記実施の形態１では四隅のコーナー部の全てにこの発明による支持構造を適用したが、この発明の防煙垂壁はこれに限らない。図１０の防煙垂壁８６は４つのコーナー部Ｃ１〜Ｃ４のうち第２コーナー部Ｃ２にのみこの発明による支持構造を適用したものである。図１０において前記実施の形態１と対応する部分には同一の符号を用いる。各コーナー部Ｃ１〜Ｃ４のコーナー部装着部材１８−１乃至１８−４が移動できる方向を図１０に矢印Ｘ，Ｙ，Ｘ＋Ｙでそれぞれ示す。第４コーナー部Ｃ４のコーナー部装着部材１８−４は２方向のねじ８８，９０によってフレーム１４に固定され、Ｘ，Ｙいずれの方向にも移動しない。第１コーナー部Ｃ１のコーナー部装着部材１８−１の上辺はねじ９４をフレーム１４の上辺に形成された長穴（図示せず）を通してねじ込むことによりフレーム１４にＸ方向に移動可能に支持されている。コーナー部装着部材１８−１は、第１コーナー部Ｃ１のフレーム１４の左辺に支持されたテンション調整ねじ２２−１がねじ込まれ、テンション調整ねじ２２−１がカバー３２に形成された切欠８５を通して操作されたときにＸ方向に移動する。第３コーナー部Ｃ３のコーナー部装着部材１８−３の右辺はねじ９８をフレーム１４の右辺に形成された長穴（図示せず）を通してねじ込むことによりフレーム１４にＹ方向に移動可能に支持されている。コーナー部装着部材１８−３は、第３コーナー部Ｃ３のフレーム１４の下辺に支持されたテンション調整ねじ２２−３がねじ込まれ、テンション調整ねじ２２−３がカバー３２に形成された切欠８７を通して操作されたときにＹ方向に移動する。第２コーナー部Ｃ２の支持構造は図１の第２コーナー部Ｃ２の支持構造と同じである。展張操作は、はじめにテンション調整ねじ２２−１，２２−２，２２−３を締め込んで前記図９(ii)に示すように防煙シート１２の長手方向両端部でしわが消えた状態にし、さらにテンション調整ねじ２２−１，２２−２を締め込んで前記図９(iii)に示すように防煙シート１２の全面からしわが消失した状態にする。これで展張操作が終了する。このようにして、図１０の防煙垂壁８６によれば、３本のテンション調整ねじ２２−１，２２−２，２２−３により防煙シート１２のテンションを調整して、しわを解消することができる。
【００３４】
《実施の形態３》
前記実施の形態１ではフレーム１４側に長穴４８を形成してテンション調整ねじ２２をフレーム１４に対してスライド可能に配置したが、これに代えて、コーナー部装着部材１８側に長穴を形成して、テンション調整ねじ２２をコーナー部装着部材１８に対しスライド可能に配置することもできる。そのように構成したコーナー部の一例を図１１、図１２に示す。図１２は図１１のＶ−Ｖ矢視位置の断面図である。図１１、図１２において前記各実施の形態と共通する部分には同一の符号を用いる。テンション調整ねじ受け金具４９には図５の長穴４８（ねじ通し穴）に代えて丸穴４８’（ねじ通し穴）が形成されている。コーナー部装着部材１８の引っ張り金具３６の傾斜部３６ｃには図５のねじ穴５２に代えて、テンション調整ねじ２２が自在に差し込まれる長穴（ねじ通し穴）５２’が形成されている。テンション調整ねじ２２は丸穴４８’から長穴５２’に通されて、別途用意された金属プレート８４（雌ねじ部材）のねじ穴（雌ねじ）８２にねじ込まれる。金属プレート８４はテンション調整ねじ２２とともに引っ張り金具３６の長穴５２’に沿ってスライド可能であるが、引っ張り金具３６に対し回転不能である。したがって金属プレート８４のねじ穴８２に対するテンション調整ねじ２２のねじ込み量に応じてコーナー部装着部材１８は図１１に矢印Ａで示す方向に移動し、これにより防煙シート１２のテンションを調整することができる。またテンション調整ねじ２２はコーナー部装着部材１８の長穴５２’に差し込まれているため、コーナー部装着部材１８はテンション調整ねじ２２に対し図１１に矢印Ｂで示す方向にスライドすることができる。したがって実施の形態１と同様に図９(ii)から図９(iii)に至る過程において、コーナー部装着部材１８はテンション調整ねじ２２の締め込みに伴いテンション調整ねじ２２に対しスライドして、防煙シート１２の短手方向のテンションをほぼ一定値に維持したまま長手方向のテンションを増加させて防煙シート１２の全面からしわを消失させることができる。
【００３５】
《実施の形態４》
雌ねじ部材をフレーム側のテンション調整ねじ受け金具４９に一体に構成した実施の形態を図１３、図１４に示す。図１４は図１３のＶＩ−ＶＩ矢視位置の断面図である。図１３、図１４において前記各実施の形態と共通する部分には同一の符号を用いる。テンション調整ねじ受け金具４９には図１１の丸穴４８’に代えてねじ穴（雌ねじ）６２が構成されている。テンション調整ねじ２２の軸部２２ａはねじ穴６２にねじ込まれている。引っ張り金具３６の傾斜部３６ｃにはテンション調整ねじ２２が自在に差し込まれる長穴（ねじ通し穴）５２’が形成されている。テンション調整ねじ２２の先端部は長穴５２’に通されて、別途用意されたストッパ６４が装着される。テンション調整ねじ２２を回すとテンション調整ねじ２２はテンション調整ねじ受け金具４９に対して矢印Ａ方向に移動して防煙シート１２の短手、長手両方向のテンションを同時に調整することができる。防煙シート１２の短手、長手両方向のテンション差が大きくなると、テンション調整ねじ２２は長穴５２’に沿ってスライドして防煙シート１２の短手方向と長手方向のテンションを調和し、これにより防煙シート１２の全面についてしわを解消することができる。
【００３６】
《実施の形態５》
テンション調整ねじ２２をコーナー部装着部材１８に固定し、テンション調整ねじ受け金具４９の外側でテンション調整ねじ２２に雌ねじ部材をねじ込むようにした実施の形態を図１５、図１６に示す。図１６は図１５のＶＩＩ−ＶＩＩ矢視位置の断面図である。図１５、図１６において前記各実施の形態と共通する部分には同一の符号を用いる。引っ張り金具３６の傾斜部３６ｃにはテンション調整ねじ２２’（雄ねじ部材）の一端部が固定されている。テンション調整ねじ２２’の他端部はテンション調整ねじ受け金具４９の傾斜部４９ｃに形成された長穴４８に通されている。長穴４８を通ってテンション調整ねじ受け金具４９の外側に突出するテンション調整ねじ２２にはナット６６（雌ねじ６６ａを有する雌ねじ部材）がねじ込まれている。ナット６６を回すと、テンション調整ねじ２２’はテンション調整ねじ受け金具４９に対して矢印Ａ方向に移動して防煙シート１２の短手、長手両方向のテンションを同時に調整することができる。防煙シート１２の短手、長手両方向のテンション差が大きくなると、テンション調整ねじ２２’は長穴４８に沿ってスライドして防煙シート１２の短手方向と長手方向のテンションを調和し、これにより防煙シート１２の全面についてしわを解消することができる。
【００３７】
《実施の形態６》
前記各実施の形態ではテンション調整ねじ２２をフレーム１４またはコーナー部装着部材１８に対し相対的にスライド（平行移動）させてテンション調整を行うようにしたが、スライドに代えてテンション調整ねじ２２をフレーム１４およびコーナー部装着部材１８に対し相対的に揺動（傾動、回動）させてテンション調整を行うこともできる。そのように構成したコーナー部の一例を図１７、図１８に示す。図１８は図１７のＶＩＩＩ−ＶＩＩＩ矢視位置の断面図である。図１７、図１８において前記各実施の形態と共通する部分には同一の符号を用いる。テンション調整ねじ受け金具４９’の頂点箇所の外周面には半球状の凹所８９が形成されている。凹所８９内の壁面には長手方向が防煙シート１２の面に平行な方向に延在する長穴９１が形成されている。凹所８９には半球状の摺動体１００が凹所８９内で摺動自在に収容されている。摺動体１００の中心軸上には丸穴（ねじ通し穴）１０１が形成されている。テンション調整ねじ２２は軸部２２ａが摺動体１００の丸穴１０１および凹所８９の長穴９１に差し込まれ、頭部２２ｂが摺動体１００の頂面１００ａで係止される。したがってテンション調整ねじ２２は、凹所８９に対する摺動体１００の摺動により、テンション調整ねじ受け金具４９’に対して長穴９１に沿った方向（図１７に矢印Ｄで示す方向）に揺動可能にテンション調整ねじ受け金具４９’に支持される。コーナー部装着部材１８の引っ張り金具３６には円柱部材９３（雌ねじ部材）が、防煙シート１２の面に垂直な軸９５の周り方向に回転自在に支持されている。円柱部材９３には軸９５に直交する方向にねじ穴（雌ねじ）９７が形成されている。テンション調整ねじ２２の軸部２２ａは引っ張り金具３６の側面に形成された切欠９９を通して円柱部材９３のねじ穴９７にねじ込まれる。円柱部材９３はコーナー部装着部材１８に対して軸９５の周り方向に回転自在なので、コーナー部装着部材１８はテンション調整ねじ２２に対し図１７に矢印Ｅで示す方向に揺動可能である。以上の構成により、テンション調整ねじ２２を締め付けていくと、図９(i)から図９(ii)に至る過程では、テンション調整ねじ２２が揺動することなく防煙シート１２が張っていき、図９(ii)から図９(iii)に至る過程では、テンション調整ねじ２２は図１７の矢印Ｄの左回り方向に揺動して防煙シート１２の短手方向と長手方向のテンションを調和し、これにより防煙シート１２の全面についてしわを解消することができる。
【００３８】
前記実施の形態ではテンション調整ねじ２２をコーナー部装着部材１８に直接連結したが、ばね構造、リンク構造等を介して連結することもできる。ばね構造を介して連結する場合は、該ばね構造の弾性力により防煙シート１２にテンションをかけることもできる。また前記実施の形態では防煙シート１２のコーナー部１６およびフレーム１４のコーナー部２０の頂点を角張らせたが、丸みを持たせてもよい。また前記実施の形態１〜５ではテンション調整ねじ２２，２２’をフレーム１４とコーナー部装着部材１８のいずれか一方に対してスライド可能に配置したが、フレーム１４とコーナー部装着部材１８の両方に対してスライド可能に配置することもできる。
【符号の説明】
【００３９】
１０，８６…防煙垂壁、１２…防煙シート、１４…フレーム、１６…防煙シートのコーナー部、１８，１８−１乃至１８−４…コーナー部装着部材（Ｌ字型部材）、２０…フレームのコーナー部、２２，２２’…テンション調整ねじ（雄ねじ部材）、２２ａ…雄ねじ部材の軸部、２２ｂ…雄ねじ部材の頭部、３２…カバー、３６，４９，６６，８４，９３…雌ねじ部材、３６ｃ…コーナー部装着部材の傾斜部、４８…フレームの傾斜部に構成された長穴、４９ｃ…フレームの傾斜部、５２，６２，６６ａ，８２，９７…雌ねじ部材の雌ねじ、５２’…コーナー部装着部材の傾斜部の長穴、６０…カバーの切欠、６４…ストッパ
【図１】
2014014545.tif 000003
【図２】
2014014545.tif 000004
【図３】
2014014545.tif 000005
【図４】
2014014545.tif 000006
【図５】
2014014545.tif 000007
【図６】
2014014545.tif 000008
【図７】
2014014545.tif 000009
【図８】
2014014545.tif 000010
【図９】
2014014545.tif 000011
【図１０】
2014014545.tif 000012
【図１１】
2014014545.tif 000013
【図１２】
2014014545.tif 000014
【図１３】
2014014545.tif 000015
【図１４】
2014014545.tif 000016
【図１５】
2014014545.tif 000017
【図１６】
2014014545.tif 000018
【図１７】
2014014545.tif 000019
【図１８】
2014014545.tif 000020